(57)【要約】      （修正有）【課題】扱う回線数が比較的多い交換機において、コンパクトな構成で従来の通話とトーキーの切替えを可能にする交換機を提供する。【解決手段】通常時のモードと異常時のモードを切替え条件を入力する手段を有し、トーキー出力兼加入者回路は、トーキーデータを保持し、通常時のモードでは、トーキー出力兼加入者回路は、加入者電話端末１０５の通話に係る信号を中継し、異常時のモードでは、トーキー出力兼加入者回路は、トーキーデータを加入者電話端末に送信する。トーキー出力兼加入者回路６の、加入者インタフェース回路では、モードを入力することにより、そのモードに応じて通話に係る信号を制御し、異常時のモードで、加入者電話端末と交換機１で通話路パスを形成する設定にし、加入者電話端末に音声を送信する。【選択図】図１
2016111584.tif 000002
【特許請求の範囲】
【請求項１】
加入者電話端末に接続された交換機であって、
第一のモードと第二のモードの切替え条件を入力する手段と、トーキー出力兼加入者回路と、を有し、
前記トーキー出力兼加入者回路は、トーキーデータを保持し、
第一のモードでは、前記トーキー出力兼加入者回路は、前記加入者電話端末の通話に係る信号を中継し、
第二のモードでは、前記トーキー出力兼加入者回路は、前記トーキーデータを加入者電話端末に送信することを特徴とする交換機。
【請求項２】
前記トーキー出力兼加入者回路は、さらに、モードを入力することにより、そのモードに応じて通話に係る信号を制御する加入者インタフェース回路を有し、
前記第二のモードで、前記加入者インタフェース回路に、前記加入者電話端末と前記交換機で通話路パスを形成する設定にし、前記トーキー出力兼加入者回路は、前記トーキーデータを加入者電話端末に送信することを特徴とする請求項１記載の交換機。
【請求項３】
前記トーキー出力兼加入者回路は、さらに、モードを入力することにより、そのモードに応じて通話に係る信号を制御する加入者インタフェース回路を有し、
前記第二のモードで、前記加入者インタフェース回路に、前記加入者電話端末と前記交換機で通話路パスを形成する設定にし、前記加入者電話端末から音声を取り込むことを特徴とする請求項１記載の交換機。
【請求項４】
前記交換機は、前記トーキー出力兼加入者回路に対して、録音の指示をする手段を有し、
前記トーキー出力兼加入者回路が録音の指示をされたときに、前記加入者電話端末から音声を取り込んだ音声を、トーキーデータとして自身のメモリに書き込むことを特徴とする請求項３記載の交換機。
【請求項５】
前記交換機は、前記トーキー出力兼加入者回路を搭載する一つ以上のトーキー出力兼加入者パッケージを有し、
さらに、トーキー出力兼加入者回路に対して、マスタ／スレーブの設定をする手段を有し、
マスタの設定をされたトーキー出力兼加入者回路は、他のトーキー出力兼加入者パッケージ内の前記トーキー出力兼加入者回路に、録音の指示と前記トーキーデータを送信し、
スレーブの設定をされたトーキー出力兼加入者回路は、前記録音の指示と前記トーキーデータを受信したときに、前記トーキーデータを自身のメモリに書き込むことを特徴とする請求項１記載の交換機。
【請求項６】
前記交換機は、前記トーキー出力兼加入者回路を搭載する一つ以上のトーキー出力兼加入者パッケージを有し、
さらに、トーキー出力兼加入者回路に対して、マスタ／スレーブの設定をする手段を有し、
マスタの設定をされたトーキー出力兼加入者回路は、他のトーキー出力兼加入者パッケージ内の前記トーキー出力兼加入者回路に、再生の指示と前記トーキーデータを送信し、
スレーブの設定をされたトーキー出力兼加入者回路は、前記再生の指示と前記トーキーデータを受信したときに、前記トーキーデータを接続された前記加入者電話端末に送信することを特徴とする請求項１記載の交換機。
【発明の詳細な説明】
【技術分野】
【０００１】
本発明は、交換機に係り、特に、回線数が比較的多い構内交換機の本体に異常が発生した場合に、モジュール単独で動作し、通話者に対して、トーキーを送出してガイダンスを行う内部回路を備えた交換機に関する。
【背景技術】
【０００２】
一般の交換機には、本来の電話回線の交換接続を行う機能に加え、通話者に交換機から、交換機に異常が起こって通話が行えない、輻輳状態であるなどの自動音声ガイダンスを行うためのトーキー機能が備わっている。例えば、特許文献１には、トランク輻輳時に保守者が、トーキートランク１２を手動により接続し、内線通話にトーキートランク１２から録音したトーキー案内を送出する構内交換機が開示されている。
【０００３】
図９を用いて、従来技術に係る構内交換機の構成と動作について簡単に説明する。構内交換機１００は、通話路スイッチＴＳＷ（Time sharing Switch）１０１、加入者回路ＬＩＮ（LIN）１０２、切替え回路ＰＦＵ（Point Function Unit）１０３、トーキー出力回路ＴＫＥＵ（Talkie Unit）１０４、切替え機ＣＨＢＯＸ（Change Box）１０６、ＣＰＵ（Central Processing Unit）１２０、メモリＭＥＭ（Memory）１２１、障害検出回路１２２から構成される。通話路スイッチＴＳＷ１０１は、回線交換を行うスイッチである。加入者回路ＬＩＮ（LIN）１０２は、加入者回線と通話路スイッチＴＳＷ１０１を接続し、加入者網を介して加入者電話端末１０５に発信・着信を行う回路である。加入者回路ＬＩＮ１０２は、加入者電話端末１０５に給電したり、ループ監視制御をする加入者インタフェース回路ＳＬＩＣ（Subscriber Line Interface Circuit）１０７を有する。切替え回路ＰＦＵ１０３は、加入者電話端末１０５と接続された回線を、加入者回路１０２を介して通話路スイッチＴＳＷ１０１に接続して、通常の通話の発着信をするか、トーキー出力回路ＴＫＥＵ１０４と接続して、ガイダンスを加入者電話端末１０５に送信するかを切り替えるための回路である。切替え回路ＰＦＵ１０３は、コイル１０８とスイッチ１０９を有する。トーキー出力回路ＴＫＥＵ１０４は、ガイダンスを加入者電話端末１０５に送信する回路である。トーキー出力回路ＴＫＥＵ１０４は、加入者インタフェース回路ＳＬＩＣ１０９と、トーキー出力のための音源であるトーキー１１０を有する。ＣＰＵ１２０は、構内交換機１００の各部を制御し、メモリＭＥＭ１２１に格納されているプログラム、データを参照し、プログラムを実行する。障害検出回路１２２は、構内交換機１００の障害を検出し、障害検出信号をする装置である。
【０００４】
通常の動作時には、切替え回路ＰＦＵ１０３のスイッチ１０９は、ａ側に接続され、構内交換機１００は、通常の回線の発着信を交換する動作を行う（（１）通常動作時）。一方、障害があったときには、障害検出回路１２２から障害検出信号が切替え機ＣＨＢＯＸ１０６に送信されるか、保守者が手動で操作することにより、内部のコイル１０８と連動し、切替え回路ＰＦＵ１０３のスイッチ１０９は、ｂ側に倒され、加入者端末１０５に対してトーキー１１０の音源を加入者端末１０５に送信することにより、加入者に対して、ガイダンスを行う（（２）異常動作時））。
【先行技術文献】
【特許文献】
【０００５】
【特許文献１】特開平０９−９３３３９号公報
【発明の概要】
【発明が解決しようとする課題】
【０００６】
上記従来技術に係る構内交換機１００では、例えば、加入者回路ＬＩＮ１０２一つに対して、１６回線、切替え回路ＰＦＵ１０３一つに対して、８回線、トーキー出力回路ＴＫＥＵ１０４一つに対して、３２回線をサポートするものであった、したがって、交換機が扱う回線の数が大きくなればなるほど、用意しなければならない回路数は多くなり、そのため構成される機器が多くなって高価なものになるという問題点があった。
【０００７】
また、構内交換機１００にトーキー出力回路ＴＫＥＵ１０４が搭載されるときには、一つの増設キャビネットに複数のトーキー出力回路ＴＫＥＵ１０４を実装する。そのときに、トーキー１１０に外部から音源を録音するときには、個別にデータを書き込まねばならず、一括して、増設キャビネットに実装されたトーキー出力回路ＴＫＥＵ１０４のトーキー１１０に対して録音・再生するということは考慮されてこなかった。
【０００８】
本発明は、上記問題点を解決するためのものであり、その目的は、扱う回線数が比較的多い交換機において、コンパクトな構成で従来の通話とトーキーの切替えを可能にする交換機を提供することにある。また、増設キャビネットに実装された複数のトーキー出力回路ＴＫＥＵ１０４に対して、一括して、トーキーの録音・再生を可能としたインタフェースを有する交換機を提供することにある。
【課題を解決するための手段】
【０００９】
本発明に係る交換機は、好ましくは、加入者電話端末に接続された交換機であって、通常時のモードと異常時のモードの切替え条件を入力する手段を有し、トーキー出力兼加入者回路は、トーキーデータを保持し、通常時のモードでは、トーキー出力兼加入者回路は、加入者電話端末の通話に係る信号を中継し、異常時のモードでは、トーキー出力兼加入者回路は、トーキーデータを加入者電話端末に送信するようにしたものである。
【００１０】
また好ましくは、トーキー出力兼加入者回路は、さらに、モードを入力することにより、そのモードに応じて通話に係る信号を制御する加入者インタフェース回路を有し、異常時のモードで、加入者インタフェース回路に、加入者電話端末と交換機で通話路パスを形成する設定にし、トーキーデータを加入者電話端末に送信するようにしたものである。
【００１１】
また好ましくは、トーキー出力兼加入者回路は、さらに、モードを入力することにより、そのモードに応じて通話に係る信号を制御する加入者インタフェース回路を有し、異常時のモードで、加入者インタフェース回路に、加入者電話端末と交換機で通話路パスを形成する設定にし、加入者電話端末から音声を取り込むようにしたものである。
【００１２】
さらに好ましくは、交換機は、トーキー出力兼加入者回路に対して、録音の指示をする手段を有し、トーキー出力兼加入者回路が録音の指示をされたときに、加入者電話端末から音声を取り込んだ音声を、トーキーデータとして自身のメモリに書き込むようにしたものである。
【００１３】
さらに好ましくは、前記トーキー出力兼加入者回路を搭載する一つ以上のトーキー出力兼加入者パッケージを有し、さらに、トーキー出力兼加入者回路に対して、マスタ／スレーブの設定をする手段を有し、
マスタの設定をされたトーキー出力兼加入者回路は、他のトーキー出力兼加入者パッケージ内の前記トーキー出力兼加入者回路に、録音の指示と前記トーキーデータを送信し、
スレーブの設定をされたトーキー出力兼加入者回路は、前記録音の指示と前記トーキーデータを受信したときに、前記トーキーデータを自身のメモリに書き込むようにしたものである。
【００１４】
さらに好ましくは、交換機は、トーキー出力兼加入者回路を搭載する一つ以上のトーキー出力兼加入者パッケージを有し、さらに、トーキー出力兼加入者回路に対して、マスタ／スレーブの設定をする手段を有し、マスタの設定をされたトーキー出力兼加入者回路は、他のトーキー出力兼加入者パッケージ内のトーキー出力兼加入者回路に、再生の指示とトーキーデータを送信し、スレーブの設定をされたトーキー出力兼加入者回路は、再生の指示とトーキーデータを受信したときに、トーキーデータを接続された加入者電話端末に送信するようにしたものである。
【発明の効果】
【００１５】
本発明によれば、扱う回線数が比較的多い交換機において、コンパクトな構成で従来の通話とトーキーの切替えを可能にする交換機を実現することができる。また、増設キャビネットに実装された複数のトーキー出力回路ＴＫＥＵ１０４に対して、一括して、トーキーの録音・再生を可能としたインタフェースを有する交換機を実現することができる。
【図面の簡単な説明】
【００１６】
【図１】一実施形態に係る構内交換機の構成図である。
【図２】トーキー出力兼加入者回路ＬＩＮＴＫＵの構成図である。
【図３】トーキー出力兼加入者回路ＬＩＮＴＫＵの通常動作時の動作を説明するための図である。
【図４】トーキー出力兼加入者回路ＬＩＮＴＫＵの異常動作時の動作を説明するための図である。
【図５】パス制御回路ＰＣＮＴＬ８の内部の監視切替制御回路１７の動作を説明するための構成図である（その一）。
【図６】構内交換機のキャビネット構成を示す模式図である。
【図７】マスタ／スレーブが設定されたときのトーキー出力兼加入者回路ＬＩＮＴＫＵ６のイベント（操作）発生時の動作を示すシーケンス図である。
【図８】パス制御回路ＰＣＮＴＬ８の内部の監視切替制御回路１７の動作を説明するための構成図である（その二）。
【図９】従来技術に係る構内交換機の構成図である。
【発明を実施するための形態】
【００１７】
以下、本発明に係る各実施形態を、図１ないし図８を用いて説明する。
【００１８】
先ず、図１を用いて、一実施形態に係る構内交換機について説明する。  
図１において、構内交換機１は、通話路スイッチＴＳＷ１０１、トーキー出力兼加入者回路ＬＩＮＴＫＵ（Line and Talkie Unit）６、切替え機ＣＨＢＯＸ１０６、ＣＰＵ１２０、メモリＭＥＭ（Memory）１２１、障害検出回路１２２を有して構成される。通話路スイッチＴＳＷ１０１、切替え機ＣＨＢＯＸ１０６、ＣＰＵ１２０、メモリＭＥＭ（Memory）１２１、障害検出回路１２２については、図９に示した従来技術に係る構内交換機と同様である。本実施形態の構内交換機１では、図９に示した従来技術の構内交換機１００において、加入者回路ＬＩＮ１０２、切替え回路ＰＦＵ１０３、トーキー出力回路ＴＫＥＵ１０４で実現された機能を、トーキー出力兼加入者回路ＬＩＮＴＫＵ６が行うことが異なっている。すなわち、トーキー出力兼加入者回路ＬＩＮＴＫＵ６は、切替え機ＣＨＢＯＸ１０６からの切替え指示に応じて、通常の加入者電話端末１０５の発着信と、トーキー出力の両方の機能を実行するものである。
【００１９】
次に、図２ないし図４を用いてトーキー出力兼加入者回路ＬＩＮＴＫＵ６の構成と動作について説明する。図２は、トーキー出力兼加入者回路ＬＩＮＴＫＵの構成図である。図３は、トーキー出力兼加入者回路ＬＩＮＴＫＵの通常動作時の動作を説明するための図である。図４は、トーキー出力兼加入者回路ＬＩＮＴＫＵの異常動作時の動作を説明するための図である。
【００２０】
図２に示されるように、トーキー出力兼加入者回路ＬＩＮＴＫＵ６は、バックボードインタフェースＢＷＢ（Back Wired Board）Ｉ／Ｆ１４、マイコンＭＰＵ（Micro Processing Unit）７、ファームウェアＦＷ（Firm Ware）９、メモリ１０、パス制御回路ＰＣＮＴＬ（Path Control）８、ＦＲＯＭ（Flash ROM）１３、外部制御スイッチＳＷ１６、自走動作クロックＣＬＫ１５、コーデックＣＯＤＥＣ１１、加入者インタフェース回路ＳＬＩＣ１２を有する。バックボードインタフェースＢＷＢ  Ｉ／Ｆ１４は、このトーキー出力兼加入者回路ＬＩＮＴＫＵ６をキャビネットに実装するためのインタフェースである。マイコンＭＰＵ７は、トーキー出力兼加入者回路ＬＩＮＴＫＵ６の各回路を制御し、ファームウェアＦＷ９に格納されたプログラムを実行する。ファームウェアＦＷ９は、トーキー出力兼加入者回路ＬＩＮＴＫＵ６を動作させるためのプログラムを記憶するための不揮発性の半導体素子である。メモリ１０は、マイコンＭＰＵ７で実行するプログラムやワークデータを記憶する揮発性の半導体素子である。パス制御回路ＰＣＮＴＬ８は、通信路を制御するための回路であり、例えば、集積回路(FPGA：field-programmable gate array)により実現される。パス制御回路ＰＣＮＴＬ８は、加入者インタフェース回路ＳＬＩＣ１２のモード設定をし、通話の発着信をするか、トーキーデータの出力をするかを制御するための監視切替制御回路８を含んでいる。ＦＲＯＭ１３は、トーキー出力（ガイダンス送信）をするときに送出されるデジタルデータ（トーキーデータ）を格納するための不揮発性の半導体装置である。なお、本実施形態の構内交換機１においては、ＦＲＯＭ１３に外部からの音源を入力することにより、書き込み可能である。外部制御スイッチＳＷ１６は、トーキー出力兼加入者回路ＬＩＮＴＫＵ６に、トーキーデータを録音するとき、トーキーデータを出力（再生）するとき、また、マスタ／スレーブ（後出）の設定をするためのスイッチである。自走動作クロックＣＬＫ１５は、計時のためのクロックであり、水晶発振子で実現される。なお、自走動作クロックＣＬＫ１５は、外部に異常が起こってもこのパス制御回路ＰＣＮＴＬ８の中だけで動作可能である。コーデックＣＯＤＥＣ１１は、デジタル／アナログの音声変換をする回路である。加入者インタフェース回路ＳＬＩＣ１２は、加入者電話端末１０５に給電したり、ループ監視制御をする回路である。
【００２１】
次に、図３及び図４を用いて、構内交換機の通常時と異常時の動作について説明する。
構内交換機１の通常動作時は、図９に示した従来の加入者回路ＬＩＮ２と同じように（（１）通常時動作）、加入者電話端末５と接続され、通話に関する発着信を行う。このときには、図３のαの部分は関与していない。
【００２２】
構内交換機１の異常動作時とは、システムに異常が発生し処理が停止した場合などの場合であり、図９に示したトーキー出力回路ＴＫＥＵ１０４（（２）異常動作時）のように、加入者電話端末５に対しトーキーを送出する動作となる。すなわち、加入者電話端末５の使用者は、トーキーによりシステムからガイダンスを受けることになる。
【００２３】
この場合、構内交換機本体の制御が停止状態となるため、パッケージ内のマイコンＭＰＵ７、ファームウェアＦＷ９、及び、メモリ１０（図４のβの部分）は構内交換機本体と同様に動作停止状態となる。このとき、外部より引き込む切替え条件にて動作状態の切替えを行い、自走動作クロックＣＬＫ１５にてＦＰＧＡ８を自走動作させる事で、加入者電話端末５に対しトーキーを送出させる動作を行う。
【００２４】
切替え条件としては、（１）システムに異常が発生し処理が停止（システムダウン）、（２）緊急時の強制切替えの場合が考えられる。切替え条件（１）の場合には、切替え機ＣＨＢＯＸ１０６により、条件を切り替えることにより、パス制御回路ＰＣＮＴＬ８に信号を入力する。切替え条件（２）の場合には、障害検出回路１２２がパス制御回路ＰＣＮＴＬ８に信号を入力する。
【００２５】
以上の二つの条件が発生したときには、パス制御回路ＰＣＮＴＬ８の内部の監視切替制御回路１７により、加入者インタフェース回路ＳＬＩＣ１２のモードを設定して、通常の通話の発着信動作とトーキー出力動作の切替え行う。また、図の切替え条件（受信）とは、他の実装されたトーキー出力兼加入者回路ＬＩＮＴＫＵ６から切替え条件を受取ることができることを意味する。なお、トーキー出力兼加入者回路ＬＩＮＴＫＵ６の構内交換機１への実装と、切替え条件の送受信については後に説明する。
【００２６】
次に、図５を用いてパス制御回路ＰＣＮＴＬ８の内部の監視切替制御回路１７の動作について詳細に説明する。図５は、パス制御回路ＰＣＮＴＬ８の内部の監視切替制御回路１７の動作を説明するための構成図である（その一）。
【００２７】
監視切替制御回路１７は、選択回路ＳＥＬ（Selector）−ａ１７１、選択回路ＳＥＬ−ｂ１７２、選択回路ＳＥＬ−ｃ１７３、ＯＲ回路１７４を有している。
【００２８】
切替え条件（１）（システムダウン）、切替え条件（２）（強制切替）、切替条件（受信）の信号は、ＯＲ回路１７４に入力され、いずれの信号がＨ（以下では、デジタル信号がHighのときには、Ｈと書き、Lowのときには、Ｌと記す）のときには、選択回路ＳＥＬ−ａ１７１、選択回路ＳＥＬ−ｂ１７２、選択回路ＳＥＬ−ｃ１７３のＳ端子に、Ｈ信号が送られる。
【００２９】
通常時の動作には、選択回路ＳＥＬ−ａ１７１、選択回路ＳＥＬ−ｂ１７２、選択回路ＳＥＬ−ｃ１７３のＳ端子に、Ｌ信号が送られ、選択回路ＳＥＬ−ａ１７１、選択回路ＳＥＬ−ｂ１７２、選択回路ＳＥＬ−ｃ１７３のＡ端子からの入力が、Ｘ端子に出力される。
【００３０】
したがって、ファームウェアＦＷ９から通常Ｃ１、通常Ｃ２の信号が、加入者インタフェース回路ＳＬＩＣ１２に対して状態に応じて以下の表１のように出力される。
【００３１】
【表１】
2016111584.tif 000003
【００３２】
すなわち、待機状態のときには、Ｃ１＝Ｈ、Ｃ２＝Ｈであり、発信・通話（パス形成）のときには、Ｃ１＝Ｌ、Ｃ２＝Ｈ、着信のときには、Ｃ１＝Ｈ、Ｃ２＝Ｌ／Ｈ（インターバル）が入力される。ここで、Ｃ２＝Ｌ／Ｈ（インターバル）とは、着信時には、呼出しのために信号を一定間隔ごと変化させることを意味している。
【００３３】
選択回路ＳＥＬ−ｃ１７３には、選択回路ＳＥＬ−ｃ１７３のＡ端子から通話に係る音声データが入力され、Ｘ端子からコーデックＣＯＤＥＣ１１を介して、加入者インタフェース回路ＳＬＩＣ１２に出力される。
【００３４】
異常時の場合には、固定で、Ｃ１＝Ｌ、Ｃ２＝Ｈとしておき、選択回路ＳＥＬ−ａ１７１、選択回路ＳＥＬ−ｂ１７２のそれぞれのＢ端子から入力して、Ｘ端子から加入者インタフェース回路ＳＬＩＣ１２に出力する。すなわち、表１でのパス形成を行うモードである。選択回路ＳＥＬ−ｃ１７３には、選択回路ＳＥＬ−ｃ１７３のＢ端子からＦＲＯＭ１３の格納されているトーキーデータが入力され、Ｘ端子から加入者インタフェース回路ＳＬＩＣ１２に出力される。
【００３５】
以上のように、加入者インタフェース回路ＳＬＩＣ１２は動作に応じてのモード設定を行う。通常動作時は、パッケージ制御プログラムファームウェアＦＷ９にて制御信号Ｃ１／Ｃ２の制御を行っている。本実施形態では、通常動作時制御信号Ｃ１／Ｃ２と異常動作時制御信号Ｃ１／Ｃ２を選択回路ＳＥＬ−ａ１７１、及び、ＳＥＬ−ｂ１７２で選択し、加入者インタフェース回路ＳＬＩＣ１２のモード設定を行うものである。
【００３６】
異常動作時制御信号Ｃ１／Ｃ２では、加入者インタフェース回路ＳＬＩＣ１２の通話パスを強制的に形成する設定とすることで、システムに異常が発生し処理が停止（システムダウン）した状態でも加入者電話端末５に対してトーキー送出することが可能となる。このとき、音声データの切替えは選択回路ＳＥＬ−ｃ１７３で行う。
【００３７】
通常動作時は、通話に関する音声データが選択され、通常動作の通話パスが形成される。異常動作時は、ＦＲＯＭ１３のトーキーデータが選択され、デジタル／アナログ音声変換のＣＯＤＥＣ１１にてアナログ信号に変換した後、加入者回路制御ＳＬＩＣ１２から加入者電話端末５に対しトーキー出力することになる。
【００３８】
次に、図６を用いて構内交換機のキャビネット構成について説明する。  
本実施形態の構内交換機は、電源装置が搭載される電源キャビネット１８、主制御パッケージが搭載される基本キャビネット１９、各種オプションパッケージが搭載される増設キャビネット２０より構成される。基本キャビネット１９は、図１に示した内で、通話路スイッチＴＳＷ１０１、ＣＰＵ１２０、メモリＭＥＭ１２１、障害検出回路１２２などの主要モジュールが収納される。増設キャビネット２０には、図６に示されるように、ＭＣＮＴ（Main Control）パッケージ２１０、コンバータＣＯＮＶＤ２１２と、トーキー出力兼加入者回路ＬＩＮＴＫＵ６が搭載されたトーキー出力兼加入者パッケージＬＩＮＴＫＵ２１１が搭載される。ＭＣＮＴ（Main Control）パッケージ２１０は、基本キャビネットの主制御のモジュールと制御情報をやりとりするインタフェースのためのパッケージである。コンバータＣＯＮＶＤ２１２は、電源キャビネット１８からの電流を電源変換をするためのパッケージである。トーキー出力兼加入者パッケージＬＩＮＴＫＵ２１１は、トーキー出力兼加入者回路ＬＩＮＴＫＵ６が搭載されており、マスタ／スレーブの設定がされ、増設キャビネットの中には、一つのマスタに設定されたトーキー出力兼加入者パッケージＬＩＮＴＫＵ２１１がマスタに設定され、それ以外は、スレーブの設定がされている（その中のトーキー出力兼加入者回路ＬＩＮＴＫＵ６も、マスタ／スレーブが設定される）。
【００３９】
次に、図７を参照して、マスタ／スレーブが設定されたときのトーキー出力兼加入者回路ＬＩＮＴＫＵ６のイベント（操作）発生時の動作について説明する。  
マスタのトーキー出力兼加入者パッケージＬＩＮＴＫＵ２１１（トーキー出力兼加入者回路ＬＩＮＴＫＵ６）に対して、切替え条件が入力されたとき（Ｅ０１）、スレーブのトーキー出力兼加入者パッケージＬＩＮＴＫＵ２１１（トーキー出力兼加入者回路ＬＩＮＴＫＵ６）に連鎖的に切替え条件の信号が送られる。このときには、マスタとスレーブのトーキー出力兼加入者回路ＬＩＮＴＫＵ６に対して、図５に示したように、それぞれに加入者インタフェース回路ＳＬＩＣ１２の設定がされる（Ｍ０１、Ｓ０１）。
【００４０】
本実施形態の構内交換機は、トーキーデータを外部からの音源を取り込むことができる。そのときのトーキーデータの音源は、加入者電話端末５又は相当のインタフェースを有する外部音源装置を接続し行うものとする。このときに、マスタ設定のトーキー出力兼加入者パッケージＬＩＮＴＫＵ２１１に音声データを入力すると（Ｅ０２）、音声がコーデックＣＯＤＥＣ１１でアナログ信号がデジタル化（Ｍ０２）された後に、スレーブのトーキー出力兼加入者パッケージＬＩＮＴＫＵ２１１に送られる。
【００４１】
そして、マスタ設定のトーキー出力兼加入者パッケージＬＩＮＴＫＵ２１１に録音オーダの信号を入力すると（Ｅ０３）、スレーブのトーキー出力兼加入者パッケージＬＩＮＴＫＵ２１１に送られ、トーキーデータは、ＦＲＯＭ（Flash ROM）１３にそれぞれ書き込まれる（Ｍ０３、Ｓ０２）。
【００４２】
また、マスタ設定のトーキー出力兼加入者パッケージＬＩＮＴＫＵ２１１に録音オーダの信号を入力すると（Ｅ０３）、スレーブのトーキー出力兼加入者パッケージＬＩＮＴＫＵ２１１に送られ、トーキーデータは、加入者インタフェース回路ＳＬＩＣ１２を介して、加入者電話端末に送信される（Ｍ０４、Ｓ０３）。
【００４３】
なお、各々のトーキー出力兼加入者パッケージＬＩＮＴＫＵ２１１は、バックボードインタフェースＢＷＢ  Ｉ／Ｆ１４を介して、構内交換機１のバックボード（図示せず）に録音オーダ、再生オーダ、トーキーデータを送信することにより、収容された隣接するパッケージに送信する。
【００４４】
次に、図８を用いて、図７に説明したマスタ／スレーブが設定されたときのトーキー出力兼加入者回路ＬＩＮＴＫＵ６の動作を実現するための監視制御回路について説明する。図８は、パス制御回路ＰＣＮＴＬ８の内部の監視切替制御回路１７の動作を説明するための構成図である（その二）。
【００４５】
図５による説明では、加入者インタフェース回路ＳＬＩＣ１２のモード設定と通話路の切替えについて説明した。図７は、それにマスタ／スレーブによる録音、再生に関する回路を加えて図示してある。
【００４６】
図５に示した監視切替制御回路１７は、監視切替制御回路１７での選択回路ＳＥＬ−ａ１７１、選択回路ＳＥＬ−ｂ１７２、ＯＲ回路１７４に加えて、ＡＮＤ回路１６０、ＯＲ回路１６１、ＯＲ回路１６２、ゲート回路１８０、ゲート回路１８１、シリアル・パラレル変換回路１９０、シリアル・パラレル変換回路１９１が付け加わっており、図５で示した監視切替制御回路１７での選択回路ＳＥＬ（Selector）−ｃ１７３が、選択回路ＳＥＬ−ｄ１７５、選択回路ＳＥＬ−ｅ１７６に置き換わっている。
【００４７】
また、図８には、設定と動作の関係を説明するために、外部制御スイッチＳＷ１６も図示している。外部制御スイッチＳＷ１６には、録音スイッチ１６ａ、再生スイッチ１６ｂ、Ｍ／Ｓスイッチ（マスタ／スレーブ）１６ｃがあり、録音スイッチ１６ａ、再生スイッチ１６ｂを倒した（短絡させた、ＯＮ）ときには、このトーキー出力兼加入者回路ＬＩＮＴＫＵ６に対して、外部からの録音、再生の指示の有る無しに関らず、録音と再生をさせるものとする。また、Ｍ／Ｓ１６ｃを倒したときには、マスタ設定にして、Ｈ信号を出力するものとし、開けた（開放、ＯＦＦ）したときには、スレーブに設定するものとする。
【００４８】
ＡＮＤ回路１６０には、Ｍ／Ｓスイッチ１６ｃからのＭ／Ｓ信号、他のトーキー出力兼加入者回路ＬＩＮＴＫＵ６からのＭ／Ｓ（受信）を反転した信号、切替え条件（１）、切替え条件（２）、切替え条件（受信）のＯＲをとった信号が入力される。それらのＡＮＤをとった信号は、選択回路ＳＥＬ−ｄ１７５のＳ端子に入力される。選択回路ＳＥＬ−ｄ１７５では、Ｓ端子＝Ｌのときに、端子Ａからの入力を、Ｓ端子＝Ｈのときに、端子Ｂからの入力を、端子Ｘに出力する。
【００４９】
今、第一のトーキー出力兼加入者回路ＬＩＮＴＫＵ６をＭ／Ｓスイッチ１６ｃによりマスタに設定したときには、隣接する第二のトーキー出力兼加入者回路ＬＩＮＴＫＵ６に、Ｍ／Ｓ信号が送られ、反転されて第二のトーキー出力兼加入者回路ＬＩＮＴＫＵ６のＡＮＤ回路１６０に入力される。
【００５０】
録音するときには、切替え条件（２）（強制切替）をＨにする。これにより、マスタに設定された第一のトーキー出力兼加入者回路ＬＩＮＴＫＵ６のＡＮＤ回路１６０の出力は、Ｈになり、選択回路ＳＥＬ−ｄ１７５では、Ｓ端子＝Ｈとなり、端子Ｂからの入力を端子Ｘに出力することになる。また、第一のトーキー出力兼加入者回路ＬＩＮＴＫＵ６では、図５で説明したように、モード設定されて、加入者電話端末１０５からの音声パスが形成されており、コーディクＣＯＤＥＣ１１でデジタル変換されて、選択回路ＳＥＬ−ｄ１７５では、端子Ｂに入力される。この結果、選択回路ＳＥＬ−ｄ１７５端子Ｂに入力されたデジタル音声が、端子Ｘより出力される。
【００５１】
端子Ｘより出力された信号は、ゲート回路１８１のＩ端子に出力され、かつ、外部のトーキー出力兼加入者回路ＬＩＮＴＫＵ６にトーキーデータとして出力される。ゲート回路１８１では、Ｇ端子がＨのときのみ、Ｉ端子の入力をＯ端子に出力する。したがって、マスタに設定された第一のトーキー出力兼加入者回路ＬＩＮＴＫＵ６では、録音スイッチがＯＮ（Ｈ出力）したときか、録音（受信）を外部から受けたときに（ＯＲ回路１６２）、ゲート回路１８１からデジタルデータが出力され、シリアル・パラレル変換回路１９１を介して、ＦＲＯＭ１３に音声データが書き込まれる。
【００５２】
隣接する第二のトーキー出力兼加入者回路ＬＩＮＴＫＵ６では、Ｍ／Ｓ信号が送られ、反転されて第二のトーキー出力兼加入者回路ＬＩＮＴＫＵ６のＡＮＤ回路１６０に入力されることになるので、ＡＮＤ回路１６０の出力は、Ｌになり、この結果、選択回路ＳＥＬ−ｄ１７５の端子Ａに入力されたデジタル音声が、端子Ｘより出力される。端子Ｘより出力された信号は、ゲート回路１８１のＩ端子に出力され、かつ、外部のトーキー出力兼加入者回路ＬＩＮＴＫＵ６にトーキーデータとして出力される。
【００５３】
この場合には、第二のトーキー出力兼加入者回路ＬＩＮＴＫＵ６では、選択回路ＳＥＬ−ｄ１７５の端子Ａから受信したトーキーデータを、選択回路ＳＥＬ−ｄ１７５の端子Ｘから外部のトーキー出力兼加入者回路ＬＩＮＴＫＵ６に送信することになる。ゲート回路１８１のＩ端子に出力された信号が、ＦＲＯＭ１３に書き込まれるまでの処理は、第一のトーキー出力兼加入者回路ＬＩＮＴＫＵ６の場合と同様である。
まとめると、トーキー出力兼加入者回路ＬＩＮＴＫＵ６でトーキーデータが録音されるときの条件は、以下の表２のようになる。
【００５４】
【表２】
2016111584.tif 000004
【００５５】
トーキーデータの再生時のときにも、切替え条件（２）（強制切替）をＨにする。選択回路ＳＥＬ−ｅ１７５でも、Ｓ端子＝Ｌのときに、端子Ａからの入力を、Ｓ端子＝Ｈのときに、端子Ｂからの入力を、端子Ｘに出力する。これにより、マスタに設定された第一のトーキー出力兼加入者回路ＬＩＮＴＫＵ６のＡＮＤ回路１６０の出力は、Ｈになり、選択回路ＳＥＬ−ｄ１７５では、Ｓ端子＝Ｈとなり、端子Ａからの入力を端子Ｘに出力することになる。端子Ａには、再生スイッチ１６ｂをＯＮ（Ｈ出力）にしたときか、再生（受信）を外部から受けたときに（ＯＲ回路１６１）、ＦＲＯＭ１３に格納されているトーキーデータが、シリアル・パラレル変換回路１９１を介して、ゲート回路１８０のＯ端子から出力されるので、この条件のときに、コーデックＣＯＤＥＣ１１を介して、加入者インタフェース回路ＳＬＩＣ１２に出力され、最終的に加入者電話端末１０５で再生される。
【００５６】
また、隣接する第二のトーキー出力兼加入者回路ＬＩＮＴＫＵ６では、Ｍ／Ｓ信号が送られ、反転されて第二のトーキー出力兼加入者回路ＬＩＮＴＫＵ６のＡＮＤ回路１６０に入力されることになるので、ＡＮＤ回路１６０の出力は、Ｌになり、この結果、選択回路ＳＥＬ−ｄ１７６の端子Ｂに入力されたデジタル音声が、端子Ｘより出力される。選択回路ＳＥＬ−ｄ１７６の端子Ｂでは、外部から受信したトーキーデータが入力されるので、それが、出力されて、コーデックＣＯＤＥＣ１１を介して、加入者インタフェース回路ＳＬＩＣ１２に出力され、最終的に加入者電話端末１０５で再生される。  
まとめると、トーキー出力兼加入者回路ＬＩＮＴＫＵ６でトーキーデータが再生されるときの条件は、以下の表３のようになる。
【００５７】
【表３】
2016111584.tif 000005
【００５８】
本実施形態によれば、システムに異常が発生し処理が停止（システムダウン）した状態においても、従来では三回路（図９の加入者回路ＬＩＮ１０２、切替え回路ＰＦＵ１０３、トーキー出力回路ＴＫＥＵ１０４）で実現していた緊急時の避難を促すトーキーサービス機能を、一つのトーキー出力兼加入者回路ＬＩＮＴＫＵ６により実現することができる。これにより、コンパクトな構成で従来の通話とトーキーの切替えが可能になる。
【００５９】
また、録音時に、上記のように、外部切替えにより、切替え条件を強制切替えにして、加入者回路ＳＬＩＣ１２のモードを、音声パスを形成する設定することにより、加入者インタフェース回路ＳＬＩＣ１２の音声パスが形成され、加入信電話端末１０５からの音声がコーデックＣＯＤＥＣ１１でアナログ信号がデジタル化された後に、選択回路ＳＥＬ−ｄ１７５を経てＦＲＯＭ１３にトーキーデータとして書き込みが行われる。録音の条件としては、録音スイッチ１６ａをＯＮにするか、外部から録音の指示が来たときであり、切替え条件を強制切替えにすることにより、加入信電話端末１０５からの音声パスにより、データを取り込むことができる。
【００６０】
また、同時にデジタル化されたトーキーデータは、バックボードへ送信して、隣接収容される他のパッケージにそのトーキーデータを引き渡して、複数のトーキー出力兼加入者パッケージ２１１のＦＲＯＭ１３へトーキーデータの書き込みを行う。すなわち、マスタ設定のトーキー出力兼加入者パッケージ２１１で接続されている加入信電話端末１０５から音声を取り込み、自身のＦＲＯＭ１３にトーキーデータとして書き込むと同時に、スレーブ設定とした隣接収容される他の複数のトーキー出力兼加入者パッケージ２１１にもトーキーデータを送信して、同時に録音をすることができる。
【００６１】
同様に、マスタ設定のトーキー出力兼加入者パッケージ２１１から、再生指示とトーキーデータを送信することにより、スレーブ設定とした隣接収容される他の複数のトーキー出力兼加入者パッケージ２１１においても、同時にそのトーキーデータを再生することができる。
【符号の説明】
【００６２】
１…構内交換機
６…トーキー出力兼加入者回路ＬＩＮＴＫＵ
７…マイコンＭＰＵ
８…集積回路（ＦＰＧＡ）
９…ファームウェアＦＷ
１０…メモリ
１１…コーデックＣＯＤＥＣ
１２…加入者インタフェース回路ＳＬＩＣ
１３…ＦＲＯＭ
１４…バックボードインタフェースＢＷＢ
１５…自走動作クロックＣＬＫ
１６…外部制御スイッチＳＷ
１８…電源キャビネット
１９…基本キャビネット
２０…増設キャビネット
１００…構内交換機（従来）
１０１…通話路スイッチＴＳＷ
１０２…加入者回路ＬＩＮ
１０３…切替え回路ＰＦＵ
１０４…トーキー出力回路ＴＫＥＵ
１０５…加入者電話端末
１０６…切替え機ＣＨＢＯＸ
１２０…ＣＰＵ
１２１…メモリＭＥＭ
１２２…障害検出回路
【図１】
2016111584.tif 000006
【図２】
2016111584.tif 000007
【図３】
2016111584.tif 000008
【図４】
2016111584.tif 000009
【図５】
2016111584.tif 000010
【図６】
2016111584.tif 000011
【図７】
2016111584.tif 000012
【図８】
2016111584.tif 000013
【図９】
2016111584.tif 000014